【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
１組の周波数帯域をもつ２つのチャネルをもった、ステレオ信号又はマルチチャネル信号のパワースペクトル包絡線を符号化するための方法であって、
各周波数帯域に対してバランスパラメータを計算することと、各周波数帯域に対して前記２つのチャネルの全パワーを表わすレベルパラメータを計算することを含む方法。
【請求項２】
前記レベルパラメータとバランスパラメータを量子化するステップをさらに含み、その量子化ステップではバランスパラメータがレベルパラメータよりも低い精度で量子化実行される請求項１に記載の方法。
【請求項３】
周波数帯域に対する前記バランスパラメータは、その周波数帯域の２つのチャネルの信号パワーの商に基づいて導き出される請求項１又は２に記載の方法。
【請求項４】
前記レベルパラメータとバランスパラメータを計算することに替えて、第１のチャネルのレベルと第２のチャネルのレベルを適応可能に計算するステップをさらに含む請求項１から３のいずれかに記載の方法。
【請求項５】
任意の基準パワーを用いて前記レベルパラメータをｄＢ表現に変換し、前記バランスパラメータをｄＢ表現に変換するステップをさらに含む請求項１から４のいずれかに記載の方法。
【請求項６】
前記レベルパラメータのｄＢ表現はＬｄＢ＝１０ｌｏｇ１０Ｐ／Ｐｒｅｆと定義され、前記バランスパラメータのｄＢ表現はＢｄＢ＝１０ｌｏｇ１０（Ｂ）と定義される請求項５に記載の方法。
ここで、ＬｄＢは前記レベルパラメータのｄＢ表現、ＢｄＢは前記バランスパラメータのｄＢ表現、Ｐは前記レベルパラメータの非対数表現、Ｂは前記バランスパラメータの非対数表現、Ｐｒｅｆは任意の基準パワー、ｌｏｇ１０は底１０をもつ対数演算子である。
【請求項７】
前記バランスパラメータ及び前記レベルパラメータのデルタ符号化及びハフマン符号化のステップと、
前記デルタ符号化されたパラメータ及びハフマン符号化されたパラメータを伝送し又は格納するステップをさらに含む請求項１から６のいずれかに記載の方法。
【請求項８】
前記バランスパラメータは漸次量子化される請求項１から７のいずれかに記載の方法。
【請求項９】
前記レベルパラメータは漸次量子化されない請求項１から８のいずれかに記載の方法。
【請求項１０】
前記バランスパラメータを時間又は周波数のいずれかで適応してデルタ符号化するステップをさらに含み、
ソースが大きな時間的静止特性と大きな不均一放射をもつ場合は時間についてデルタ符号化し、ソースが小さい時間的静止特性と小さい不均一放射をもつ場合は周波数についてデルタ符号化する請求項１から９のいずれかに記載の方法。
【請求項１１】
低帯域符号化出力信号を得るために、２つのチャネルをもつステレオ信号又はマルチチャネル信号を符号化する低帯域符号器と、
２つのチャネルをもつステレオ信号又はマルチチャネル信号の高帯域部分の推定されたパワースペクトル包絡線を計算するパラメトリックステレオ符号器とを備え、
前記２つのチャネルの高帯域部分は、１組の周波数帯域を持ち、
前記パラメトリックステレオ符号器は、高帯域部分の周波数帯域ごとのバランスパラメータと、高帯域部分の周波数帯域ごとのレベルパラメータとを計算するように構成され、
前記レベルパラメータは、周波数帯域ごとの２つのチャネルの全パワーを表す、符号器。
【請求項１２】
前記符号器は、スケーラブルな符号器であり、
前記スケーラブルな符号器は、レベルパラメータを一次ビットストリーム部分に送り、バランスパラメータを二次ビットストリーム部分に送るように動作し、
前記２次部分の受信および復号化は、前記一次ビットストリーム部分の受信および復号化に対してオプションである請求項１１に記載の符号器。
【請求項１３】
前記低帯域符号化出力信号と前記レベルパラメータを一次ビットストリーム部分へ多重化する一次ビットストリームマルチプレクサと、
前記バランスパラメータを二次ビットストリーム部分へ多重化する二次ビットストリーム部分マルチプレクサと、をさらに備えている請求項１２に記載の符号器。
【請求項１４】
前記低帯域符号器は一次ビットストリーム部分へ送られる和信号と二次ビットストリーム部分へ送られる差信号を生成するように動作し、
前記パラメトリックステレオ符号器は１又は２以上のステレオパラメータを前記一次ビットストリーム部分へ送るようにさらに動作する請求項１１から１３のいずれかに記載の符号器。
【請求項１５】
前記二次ビットストリーム部分に追加の低帯域情報を含み、一次ビットストリーム部分低帯域出力信号と組み合わされたときにその二次ビットストリームがより高品質の低帯域復号器出力信号を生み出すものとなるように動作する請求項１４に記載の符号器。
【請求項１６】
前記パラメトリックステレオ符号器はステレオ幅パラメータを生成し、かつそのステレオ幅パラメータと前記バランスパラメータを前記一次ビットストリーム部分へ供給するように配置されており、
前記ステレオ幅パラメータは、第１のチャネルと第２のチャネルとの間の類似度を表し、
前記ステレオ幅パラメータは、第１のチャネルと第２のチャネルとの間のモノ状況と広いステレオ状況との間の範囲全体を網羅する有限集合の値からの値である請求項１１から１５のいずれかに記載の符号器。
【請求項１７】
符号化されたビットストリームを復号化する復号器であって、
低帯域コア復号器信号と、２つのチャンネルをもつ信号の前記周波数帯域における全パワーを表すレベルパラメータとを得るために、前記符号化されたビットストリームを逆多重化するデマルチプレクサと、
低帯域モノラル信号又は低帯域ステレオ信号をもつ低帯域出力信号を生成する低帯域コア復号器と、
前記低帯域出力信号を使用して合成高帯域を生成し、レベルパラメータによって前記合成高帯域を調整し、かつその調整された合成高帯域と前記低帯域出力信号を結合して広帯域出力信号を得る高周波再構成装置とを備え、
前記広帯域出力信号は、前記広帯域出力信号の低帯域部分における低帯域出力信号と、前記広帯域出力信号の高帯域部分における調整された合成高帯域とを備える復号器。
【請求項１８】
前記高周波再構成装置は、前記低帯域出力信号又は合成高帯域を強化する擬似ステレオ生成器をさらに備えている請求項１７に記載の復号器。
【請求項１９】
復号器入力信号は一次ビットストリーム部分と二次ビットストリーム部分を含み、二次ビットストリーム部分は前記信号の周波数帯域ごとのバランスパラメータをさらに含み、かつ
前記高周波再構成装置は前記バランスパラメータを受け取るように動作するものである請求項１７又は１８に記載の復号器。
【請求項２０】
前記ビットストリームは前記２つのチャネルの和信号を含み、前記低帯域コア復号器はモノラル信号としての低帯域出力信号を生成するように動作するものである請求項１７に記載の復号器。
【請求項２１】
前記ビットストリームは１又は２以上のステレオパラメータをさらに含み、かつ
前記高周波再構成装置は前記１又は２以上のステレオパラメータにより制御される擬似ステレオ生成器を用いて擬似ステレオ出力を生成する動作をさらに行なうものである請求項２０に記載の復号器。
【請求項２２】
一組の周波数帯域をもつ２つのチャネルをもったステレオ信号又はマルチチャネル信号のパワースペクトル包絡線を符号化する装置であって、
周波数帯域ごとのバランスパラメータと周波数帯域ごとの前記２つのチャネルの全パワーを表すレベルパラメータを計算する計算機を備える装置。
【請求項２３】
２つのチャネルをもつステレオ信号又はマルチチャネル信号を符号化する方法であって、
低帯域符号化出力信号を得るために、２つのチャネルをもつステレオ信号又はマルチチャネル信号を符号化するステップと、
２つのチャネルをもつステレオ信号又はマルチチャネル信号の高帯域部分の推定されたパワースペクトル包絡線を計算するステップとを備え、
２つのチャネルの高帯域部分は高帯域部分の周波数帯域ごとのバランスパラメータと、高帯域部分の周波数帯域ごとのレベルパラメータとを計算することによって１組の周波数帯域を持ち、
前記レベルパラメータは、周波数帯域ごとの２つのチャネルの全パワーを表す符号化方法。
【請求項２４】
符号化されたビットストリームを復号化する方法であって、
低帯域コア復号器信号と、２チャンネルをもつ信号の前記周波数帯域における全パワーを表すレベルパラメータとを得るために、前記符号化されたビットストリームを逆多重化するステップと、
低帯域モノラル信号又は低帯域ステレオ信号をもつ低帯域出力信号を生成するために前記低帯域コア復号器信号を復号化するステップと、
前記低帯域出力信号を用いて高周波再構成により合成高帯域を生成し、レベルパラメータによって前記合成高帯域を調整し、かつ前記合成高帯域及び低帯域出力信号を結合して広帯域出力信号を得るステップとを備え、
前記広帯域出力信号は、前記広帯域出力信号の低帯域部分における低帯域出力信号と、前記広帯域出力信号の高帯域部分における前記調整された合成高帯域とを備える方法。
【請求項２５】
２つのチャネルをもつステレオ信号又はマルチチャネル信号の符号化されたパワースペクトル包絡線を復号化する装置であって、前記２つのチャネルは一組の周波数帯域をもち、前記符号化パワースペクトル包絡線は周波数帯域ごとのバランスパラメータと周波数帯域ごとの前記２つのチャネルの全パワーを表すレベルパラメータによって表現されている復号化装置において、
前記バランスパラメータと前記レベルパラメータを前記第１のチャネルと第２のチャネルのパワー値に変換する装置を備える復号化装置。